(57)【特許請求の範囲】
【請求項１】
ダウンリンク制御情報（ＤＣＩ）を持つ物理ダウンリンク制御チャネル（ＰＤＣＣＨ）を通してビットシーケンスを符号化する方法であって、
（ａ）複数のＤＣＩビットを決定し、ＤＣＩビットシーケンスを提供すること、
（ｂ）前記ＤＣＩビットシーケンスにＣＲＣ計算を行い、ＣＲＣパリティビットシーケンスを提供すること、
（ｃ）前記ＣＲＣパリティビットシーケンスをスクランブルし、スクランブルされたＣＲＣビットシーケンスを提供すること、
（ｄ）ＤＣＩフォーマットがＬＴＥ−Ａの場合、前記ＤＣＩを前記スクランブルされたＣＲＣビットシーケンスと共にＬＴＥ−Ａスクランブルし、ＬＴＥ−Ａスクランブルされたビットシーケンスを提供すること、
（ｅ）前記ＤＣＩが添付されたスクランブルされたＣＲＣビットシーケンスまたはＬＴＥ−Ａスクランブルされたビットシーケンスのいずれかを符号化し、チャネル符号化ビットシーケンスを提供すること、
（ｆ）前記チャネル符号化ビットシーケンスを変調し、変調されたシンボルシーケンスを提供すること、
（ｇ）前記変調されたシンボルシーケンスを送信機に関連した１つまたは２つ以上のアンテナにレイヤマップし、シンボルシーケンスを持った１つまたは２つ以上のレイヤを提供すること、
（ｈ）前記レイヤ状のシンボルシーケンスを事前符号化すること、
を含む方法。
【請求項２】
前記ＣＲＣパリティビットシーケンスをスクランブルすることは、
（ａ）前記ＣＲＣパリティビットシーケンスに第１の所定のシーケンスとのビット単位のモジュロ２加算を行うこと、
（ｂ）前記ＣＲＣパリティビットシーケンスを前記ＤＣＩビットシーケンスと連結し、前記スクランブルされたＣＲＣビットシーケンスを提供すること、
を含む、
請求項１に記載の方法。
【請求項３】
前記モジュロ２加算は、次式で与えられる前記ＣＲＣパリティビットシーケンスのビット単位のＸＯＲ演算であり、
ｂl＝（ｐl＋ｘl）ｍｏｄ２  ｌ＝０，１，．．．，Ｌ−１
ここでｘは前記第１の所定のシーケンスである、請求項２に記載の方法。
【請求項４】
前記第１の所定のシーケンスは、１６ビットの無線ネットワーク仮識別子（ＲＮＴＩ）シーケンスである、請求項３に記載の方法。
【請求項５】
前記第１の所定のシーケンスは、前記ＣＲＣパリティビットシーケンスと同一ビット長を持った任意のシーケンスである、請求項３に記載の方法。
【請求項６】
ステップ（ｂ）で前記スクランブルされたＣＲＣビットシーケンスは、次式で与えられるｃkで表され、
ｋ＝０，１，２，．．．，Ｄ−１に対して、ｃk＝ａk
ｋ＝Ｄ，Ｄ＋１，．．．，Ｄ＋Ｌに対して、ｃk＝ｂk
ここでｃの長さはＫ＝Ｄ＋Ｌで表される、請求項２に記載の方法。
【請求項７】
ステップ（ｄ）で、ＬＴＥ−Ａスクランブリングは、前記スクランブルされたＣＲＣビットシーケンスを第２の所定のシーケンスでスクランブルすることによって行われ、前記ＬＴＥ−Ａスクランブルされたビットシーケンスを提供する、請求項１に記載の方法。
【請求項８】
前記第２の所定のシーケンスは総ビット数Ｋと等しい、請求項７に記載の方法。
【請求項９】
前記第２の所定のシーケンスは、ＲＮＴＩまたはセルＩＤビットシーケンスの反復バージョンである、請求項８に記載の方法。
【請求項１０】
前記ＲＮＴＩビットのシーケンスは、前記ＣＲＣパリティビットシーケンスのスクランブリングを元へ戻さないように処理される、請求項９に記載の方法。
【請求項１１】
前記処理はシーケンスを逆にするかまたはその順序を並べ替えることを含む、請求項１０に記載の方法。
【請求項１２】
ステップ（ｈ）で、利用可能な場合、事前符号化はＬＴＥ−Ａ仕様書に準拠する、請求項１に記載の方法。
【請求項１３】
ＰＤＣＣＨを通してビットシーケンスを復号する方法であって、
（ａ）受信されたシンボルシーケンスを復調およびデマッピングし、復調されたビットシーケンスを提供すること、
（ｂ）前記デマップされたビットシーケンスをチャネル復号し、チャネル復号されたビットシーケンスを提供すること、
（ｃ）前記ビットシーケンスがＬＴＥ−Ａの場合、前記チャネル復号されたビットシーケンスをＬＴＥ−Ａデスクランブルし、ＬＴＥ−Ａデスクランブルされたビットシーケンスを提供すること、
（ｄ）前記ＬＴＥ−Ａデスクランブルされたビットシーケンスまたはチャネル復号されたビットシーケンスのいずれかをＣＲＣデスクランブルし、ＤＣＩフォーマットが検出されるように、ＤＣＩビットシーケンスを提供すること、
を含む方法。
【請求項１４】
ステップ（ｄ）で、ＣＲＣデスクランブリングすることは、
（ａ）前記チャネル復号されたビットシーケンスに第１の所定のシーケンスとのビット単位のモジュロ２加算を行うこと、
を含む請求項１３に記載の方法。
【請求項１５】
前記第１の所定のシーケンスは、１６ビットの無線ネットワーク仮識別子（ＲＮＴＩ）シーケンスである、請求項１４に記載の方法。
【請求項１６】
ステップ（ｃ）で、前記ＬＴＥ−Ａデスクランブリングすることは、前記チャネル復号されたビットシーケンスを第２の所定のシーケンスでデスクランブルすることによって行われ、ＬＴＥ−Ａデスクランブルされたビットシーケンスを提供する、請求項１３に記載の方法。
【請求項１７】
前記第２の所定のシーケンスは、ＲＮＴＩまたはセルＩＤビットシーケンスの反復バージョンである、請求項１６に記載の方法。
【請求項１８】
前記ＲＮＴＩビットのシーケンスは、前記ＣＲＣデスクランブリングを元へ戻さないように処理される、請求項１７に記載の方法。
【請求項１９】
前記処理はシーケンスを逆にするかまたはその順序を並べ替えることを含む、請求項１８に記載の方法。
【請求項２０】
ダウンリンク制御情報（ＤＣＩ）を持つ物理ダウンリンク制御チャネル（ＰＤＣＣＨ）を通してビットシーケンスを符号化するエンコーダであって、
ＤＣＩビットシーケンスを提供するＤＣＩビットモジュールと、
前記ＤＣＩビットシーケンスのＣＲＣ計算を行い、ＣＲＣパリティビットシーケンスを提供するＣＲＣ計算モジュールと、
前記ＣＲＣパリティビットシーケンスをスクランブルし、スクランブルされたＣＲＣシーケンスを提供するＣＲＣスクランブルモジュールと、
前記ＤＣＩビットモジュールが、ＤＣＩフォーマットはＬＴＥ−Ａであると判定した場合、前記スクランブルされたＣＲＣビットシーケンスをＬＴＥ−Ａスクランブルし、ＬＴＥ−Ａスクランブルされたビットシーケンスを提供するＬＴＥ−Ａビットスクランブラーモジュールと、
前記スクランブルされたＣＲＣビットシーケンスまたはＬＴＥ−Ａスクランブルされたビットシーケンスをさらにチャネル符号化し、チャネル符号化ビットシーケンスを提供するチャネル符号化モジュールと、
前記チャネル符号化シンボルシーケンスを変調し、変調されたシンボルシーケンスを提供する変調モジュールと、
前記シンボルシーケンスを送信機に関連した１つまたは２つ以上のアンテナに変調し、シンボルシーケンスを持った１つまたは２つ以上のレイヤを提供するレイヤマッピングモジュールと、
前記レイヤ状のシンボルシーケンスを事前符号化する事前符号化モジュールと、
を有するエンコーダ。
【請求項２１】
符号化されたビットシーケンスを復号するデコーダであって、
前記受信されたシンボルシーケンスを復調およびデマップし、復調されたビットシーケンスを提供する復調／デマッピングモジュールと、
前記デマップされたビットシーケンスをチャネル復号し、チャネル復号されたビットシーケンスを提供するチャンネル復号モジュールと、
前記ビットシーケンスがＬＴＥ−Ａシーケンスの場合、前記チャネル復号されたビットシーケンスをＬＴＥ−Ａデスクランブルし、ＬＴＥ−Ａデスクランブルされたビットシーケンスを提供するＬＴＥ−Ａデスクランブラモジュールと、
前記ＬＴＥ−Ａデスクランブルされたビットシーケンスまたはチャネル復号されたビットシーケンスのいずれかをＣＲＣデスクランブルし、ＤＣＩフォーマットが検出されるように、ＤＣＩビットシーケンスを提供するＣＲＣデスクランブラモジュールと、
を有するデコーダ。
【発明の詳細な説明】
【技術分野】
【０００１】
本発明は無線通信システムに関し、より詳細には無線通信システムのダウンリンク制御情報を符号化および復号する方法に関する。
【背景技術】
【０００２】
ロングタームエボリューション（ＬＴＥ：Ｌｏｎｇ  Ｔｅｒｍ  Ｅｖｏｌｕｔｉｏｎ）標準は、移動体通信技術の進化に対処することを目指した移動体通信標準である。ロングタームエボリューションアドバンスト（ＬＴＥ−Ａ：Ｌｏｎｇ  Ｔｅｒｍ  Ｅｖｏｌｕｔｉｏｎ  Ａｄｖａｎｃｅｄ）は、集約した方法でより広い伝送帯域幅を利用するＬＴＥの拡張である、新しい移動体通信標準である。
【０００３】
ＬＴＥの下では、高速制御シグナリングは、送信データを適切に受信し、復号するために、ユーザ装置（ＵＥ）が必要とするダウンリンク制御情報（ＤＣＩ：Ｄｏｗｎｌｉｎｋ  Ｃｏｎｔｒｏｌ  Ｉｎｆｏｒｍａｔｉｏｎ）を運ぶ物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を用いることによって達成される。
【発明の概要】
【発明が解決しようとする課題】
【０００４】
ＬＴＥ−Ａの下でのＤＣＩフォーマットは、マルチポイント伝送のような拡張機能、および高度な空間多重化方式を提供するが、ＬＴＥの制御シグナリング方式を考えると、ＬＴＥ−Ａシステムは、該ＬＴＥ−Ａで見つけられた拡張機能を用いる可能性を排除するＬＴＥに戻らざるを得ない。
【０００５】
これらの「旧製品との互換性」の問題は、利用可能なスペクトルのサブバンドがＬＴＥ−ＡのＵＥおよびＬＴＥのＵＥの両方に共有されている場合に特に問題となる。
【０００６】
したがって、ＬＴＥ−Ａを活用するＤＣＩフォーマットを含んだ方法および装置を提供することが望ましい。ＬＴＥ−ＡのＤＣＩフォーマットを既存のＬＴＥのＤＣＩフォーマットから識別できるようにしておくこと、ＬＴＥ−ＡのＤＣＩフォーマットを用いることによる計算要求のいかなる増加も最小限にすること、および新たなＤＣＩフォーマットの導入（今後の標準化手順のための）を柔軟に行えるようにすることはさらに望ましい。
【０００７】
なお、先行技術として与えられるあらゆる事項に対するここでの言及は、本明細書の一部を構成する特許請求の範囲の優先日の時点で、その事はオーストラリアまたは他の国々で既に知られていたまたはそれが含んでいる情報は共通の一般知識の一部であったということの承認として解釈されるべきでないことが理解されよう。
【課題を解決するための手段】
【０００８】
この点を考慮して、本発明の１つの態様は、ダウンリンク制御情報（ＤＣＩ：Ｄｏｗｎｌｉｎｋ  Ｃｏｎｔｒｏｌ  Ｉｎｆｏｒｍａｔｉｏｎ）を持つ物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ  ）を通してビットシーケンスを符号化する方法であって、
（ａ）複数のＤＣＩビットを決定し、ＤＣＩビットシーケンスを提供するステップと、
（ｂ）ＤＣＩビットシーケンスにＣＲＣ計算を行い、ＣＲＣパリティビットシーケンスを提供するステップと、
（ｃ）ＣＲＣパリティビットシーケンスをスクランブルし、スクランブルされたＣＲＣビットシーケンスを提供するステップと、
（ｄ）ＤＣＩフォーマットがＬＴＥ−Ａの場合、ＤＣＩを添付のスクランブルされたＣＲＣビットシーケンスと共にさらにスクランブルし、ＬＴＥ−Ａスクランブルされたビットシーケンスを提供するステップと、
（ｅ）ＤＣＩ添付のスクランブルされたＣＲＣビットシーケンスまたはＬＴＥ−Ａスクランブルされたビットシーケンスのいずれかを符号化し、チャネル符号化ビットシーケンスを提供するステップと、
（ｆ）チャネル符号化ビットシーケンスを変調し、変調されたシンボルシーケンスを提供するステップと、
（ｇ）変調されたビットシーケンスを送信機に関連した１つまたは２つ以上のアンテナにレイヤマップし、シンボルシーケンスを持った１つまたは２つ以上のレイヤを提供するステップと、
（ｈ）レイヤ状のビットシーケンスを事前符号化するステップと、
を含む方法を提供する。
【０００９】
ＤＣＩビットシーケンスは長さＤのａiで表されるのが好ましく、ここで添え字ｉは０からＤ−１まで変動する。
【００１０】
ＣＲＣパリティビットシーケンスは、Ｌビットの長さを持ち添え字ｌが０からＬ−１まで変動する、ｐlで表されるのが好ましい。
【００１１】
ＣＲＣパリティビットシーケンスをスクランブルすることは、
（ａ）ＣＲＣパリティビットシーケンスに第１の所定のシーケンスとのビット単位のモジュロ２加算を行うステップと、
（ｂ）ＣＲＣパリティビットシーケンスをＤＣＩビットシーケンスと連結し、スクランブルされたＣＲＣビットシーケンスを提供するステップと、
を含むのが好ましい。
【００１２】
好ましくは、モジュロ２加算は、次式で与えられるＣＲＣパリティビットシーケンスのビット単位のＸＯＲ演算であり、
ｂl＝（ｐl＋ｘl）ｍｏｄ２  ｌ＝０，１，．．．，Ｌ−１
ここでｘは第１の所定のシーケンスである。
【００１３】
第１の所定のシーケンスは、１６ビットの無線ネットワーク仮識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ  ）シーケンスであるのが好ましい。
【００１４】
第１の所定のシーケンスは、ＣＲＣパリティビットシーケンスと同一ビット長を持った任意のシーケンスであるのが好ましい。
【００１５】
スクランブルされたＣＲＣビットシーケンスは、次式で与えられるｃkで表されるのが好ましく、
ｋ＝０，１，２，．．．，Ｄ−１に対して、ｃk＝ａk
ｋ＝Ｄ，Ｄ＋１，．．．，Ｄ＋Ｌに対して、ｃk＝ｂk
ここでｃの長さはＫ＝Ｄ＋Ｌで表される。
【００１６】
さらなるスクランブリングは、スクランブルされたＣＲＣビットシーケンスを第２の所定のシーケンスでスクランブルすることによって行われ、ＬＴＥ−Ａスクランブルされたビットシーケンスを提供するのが好ましい。好都合に、これは、ＬＴＥとＬＴＥ−Ａシステムとをさらに識別するのに役立つ。
【００１７】
第２の所定のシーケンスは総ビット数Ｋと等しいのが好ましい。
【００１８】
第２の所定のシーケンスは、ＲＮＴＩまたはセルＩＤビットシーケンスの反復バージョンであるのが好ましい。
【００１９】
好ましくは、ＲＮＴＩシーケンスが用いられる場合、ビットのシーケンスは第１段階のスクランブリングを元へ戻さないように処理されるべきである。このための可能な方法は、シーケンスを逆にするかまたはその順序を並べ替えることを含む。好都合に、ＲＮＴＩの使用は複数のＵＥ間である程度の干渉抑制を提供し、それによってシステム性能を潜在的に改善する。さらに、ＲＮＴＩは、付加のシグナリングを必要としない、容易に利用可能なシーケンスである。
【００２０】
代替の方法において、セルＩＤの使用は、異なるセル中の複数のＵＥの間のある程度の干渉抑制、および付加のシグナリングを必要としない容易に利用可能なシーケンスの提供のようないくつかの利点を提供する。
【００２１】
ステップ（ｈ）で、利用可能な場合、事前符号化はＬＴＥ−Ａ仕様書に準拠するのが好ましい。
【００２２】
本発明の別の態様は、ＰＤＣＣＨを通してビットシーケンスを復号する方法であって、
（ａ）受信されたシンボルシーケンスを復調およびデマッピングし、復調されたビットシーケンスを提供すること、
（ｂ）デマップされたビットシーケンスをチャネル復号し、チャネル復号されたビットシーケンスを提供すること、
（ｃ）ビットシーケンがＬＴＥ−Ａの場合、チャネル復号されたビットシーケンスをデスクランブルし、ＬＴＥ−Ａデスクランブルされたビットシーケンスを提供すること、
（ｄ）ＬＴＥ−Ａデスクランブルされたビットシーケンスまたはチャネル復号されたビットシーケンスのいずれかをＣＲＣデスクランブルし、ＤＣＩフォーマットが検出されるように、ＤＣＩビットシーケンスを提供すること、
を含む方法を提供する。
【００２３】
ステップ（ｄ）で、ＣＲＣデスクランブリングは、
（ａ）チャネル復号されたビットシーケンスに第１の所定のシーケンスとのビット単位のモジュロ２加算を行うステップ、
を含むのが好ましい。
【００２４】
第１の所定のシーケンスは、１６ビットのＲＮＴＩシーケンスであるのが好ましい。
【００２５】
好ましくは、ステップ（ｃ）で、デスクランブリングすることは、チャネル復号されたビットシーケンスを第２の所定のシーケンスでデスクランブルすることによって行われ、ＬＴＥ−Ａデスクランブルされたビットシーケンスを提供するのが好ましい。好都合に、これは、ＬＴＥとＬＴＥ−Ａシステムとをさらに識別するのに役立つ。
【００２６】
第２の所定のシーケンスは、ＲＮＴＩまたはセルＩＤビットシーケンスの反復バージョンであるのが好ましい。
【００２７】
好ましくは、ＲＮＴＩシーケンスが用いられる場合、ビットのシーケンスは第１段階のスクランブリングを元へ戻さないように処理されるべきである。このための可能な方法は、シーケンスを逆にするかまたはその順序を並べ替えることを含む。
【００２８】
本発明のさらなる態様は、ダウンリンク制御情報（ＤＣＩ：Ｄｏｗｎｌｉｎｋ  Ｃｏｎｔｒｏｌ  Ｉｎｆｏｒｍａｔｉｏｎ  ）を持つ物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を通してビットシーケンスを符号化するエンコーダであって、
ＤＣＩビットシーケンスを提供するＤＣＩビットモジュールと、
ＤＣＩビットシーケンスのＣＲＣ計算を行い、ＣＲＣパリティビットシーケンスを提供するＣＲＣ計算モジュールと、
ＣＲＣパリティビットシーケンスをスクランブルし、スクランブルされたＣＲＣシーケンスを提供するＣＲＣスクランブルモジュールと、
ＤＣＩビットモジュールが、ＤＣＩフォーマットはＬＴＥ−Ａであると判定した場合、スクランブルされたＣＲＣビットシーケンスをさらにスクランブルし、ＬＴＥ−Ａスクランブルされたビットシーケンスを提供するＬＴＥ−Ａビットスクランブラーモジュールと、
スクランブルされたＣＲＣビットシーケンスまたはＬＴＥ−Ａスクランブルされたビットシーケンスをチャネル符号化し、チャネル符号化ビットシーケンスを提供するチャネル符号化モジュールと、
チャネル符号化ビットシーケンスを変調し、変調されたビットシーケンスを提供する変調モジュールと、
ビットシーケンスを送信機に関連した１つまたは２つ以上のアンテナに変調し、ビットシーケンスを持った１つまたは２つ以上のレイヤを提供するレイヤマッピングモジュールと、
レイヤ状のビットシーケンスを事前符号化する事前符号化モジュールと、
を含むエンコーダを提供する。
【００２９】
さらに、本発明の他の態様は、符号化ビットシーケンスを復号するデコーダであって、
シンボルシーケンスを復調およびデマップし、復調されたビットシーケンスを提供する復調／デマッピングモジュールと、
デマップされたビットシーケンスをチャネル復号し、チャネル復号されたビットシーケンスを提供するチャンネル復号モジュールと、
ビットシーケンスがＬＴＥ−Ａの場合、チャネル復号されたビットシーケンスをデスクランブルし、ＬＴＥ−Ａデスクランブルされたビットシーケンスを提供するＬＴＥ−Ａデスクランブラモジュールと、
ＬＴＥ−Ａデスクランブルされたビットシーケンスまたはチャネル復号されたビットシーケンスのいずれかをＣＲＣデスクランブルし、ＤＣＩフォーマットが検出されるように、ＤＣＩビットシーケンスを提供するＣＲＣデスクランブラモジュールと、
を含むデコーダを提供する。
【００３０】
以下の説明は、本発明の種々の特徴およびステップについてより詳細に言及している。本発明についての理解を容易にするために、本発明が好ましい実施形態で例証される添付の図面ついて本明細書で説明する。しかしながら、本発明が図面に例証しているような好ましい実施形態に限定されないことは当然理解されるであろう。
【図面の簡単な説明】
【００３１】
【図１】本発明の実施形態によるエンコーダの構成要素のブロックダイアグラム
【図２】本発明の実施形態によるデコーダの構成要素のブロックダイアグラム
【図３】本発明の符号化法のステップを示すフローチャート
【図４】本発明の復号法のステップを示すフローチャート
【発明を実施するための形態】
【００３２】
ここで図１を参照して、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）エンコーダ１００が示されている。ＰＤＣＣＨエンコーダ１００は、ＬＴＥ−Ａ伝送用のＬＴＥ−Ａエンコーダ１０５とＬＴＥ伝送用のＬＴＥエンコーダ１５０とを含んでいる。いったん符号化されると、ＬＴＥ−Ａエンコーダ１０５およびＬＴＥエンコーダ１５０の両方の出力は、ＯＦＤＭ信号１９５を生成する前に資源要素マッピングコンポーネント１９０に送られる。
【００３３】
ＬＴＥ−Ａエンコーダ１０５およびＬＴＥエンコーダ１５０は両方とも、ビットシーケンスを符号化するために多くの同じ要素を含んでいる。しかしながら、ＬＴＥ−Ａエンコーダ１０５は、固有のＬＴＥ−ＡシーケンスによってビットシーケンスをスクランブルするＬＴＥ−Ａビットスクランブラーモジュールをさらに含んでいる。好都合に、この追加のステップは、ＬＴＥシステムがいかなるＬＴＥ−Ａ情報も解読できないということを確保している。
【００３４】
ＰＤＣＣＨエンコーダ１００に関連した送信機は、ＰＤＣＣＨエンコーダ１００による符号化シーケンスより前に、該送信機が対応している受信機（図２のＰＤＣＣＨデコーダ２００に関連した）がＬＴＥ−ＡイネーブルされたかまたはＬＴＥイネーブルされたかを知っている。これは、通常、ＵＥが送信機／基地局の対応を求めたとき（例えばＵＥが電源を入れたとき、またはＵＥが基地局によって対応される地理的領域に移動したとき）行われる。１つの実施形態では、送信機がＬＴＥ−Ａイネーブルされた受信機／ＵＥのシーケンスを符号化する必要がある場合、該送信機は、以下に説明するように、付加のＬＴＥ−Ａ特有のスクランブリングによる符号化チェーンに従う、スイッチングモジュール（不図示）があってもよい。そうでない場合には、送信機は単純にＬＴＥ符号化シーケンスに従う。
【００３５】
ＬＴＥ−Ａエンコーダ
ＬＴＥ−Ａエンコーダ１０５は、適切な復調のために受信機（図２）が必要とする情報を運ぶビット列を組み立てる、ＤＣＩビットモジュール１１０を含んでいる。ＤＣＩは、資源ブロック割り当て、ハイブリッド自動再送要求（ＨＡＲＱ）情報、変調および符号化方式、電力制御情報、アップリンク資源配分、前符号化情報、ランダムアクセス情報、およびページング情報のような情報を運んでもよい。加えて、ＬＴＥ−Ａ用のＤＣＩは、マルチポイント伝送モード、中継情報、およびＬＴＥ−Ａが進化するにつれて該ＬＴＥ−Ａに含まれる他の新たな機能のような情報も含んでいてもよい。ＤＣＩビットモジュール１１０は、ＣＲＣ計算モジュール１１５によって受け取られるＤＣＩビットシーケンスを出力する。ＣＲＣ計算モジュール１１５は、巡回冗長検査（ＣＲＣ：Ｃｙｃｌｉｃ  Ｒｅｄｕｎｄａｎｃｙ  Ｃｈｅｃｋ）パリティビットを計算する（該ビットは、すべてのビットが正確に検出されたかどうかを判定するために受信機によって用いられる）。ＣＲＣ計算モジュール１１５は、ＣＲＣスクランブルモジュール１２０にＣＲＣパリティビットシーケンスを出力する。ＣＲＣスクランブルモジュール１２０は、ＣＲＣスクランブルモジュール１２０から出力されたＣＲＣパリティビットシーケンスを得て、第１の所定のシーケンスとのビット単位のモジュロ２加算を行う。第１の所定のシーケンスは、１６ビットの無線ネットワーク仮識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）シーケンスが用いられるＬＴＥデコーダ１５０で用いられるであろうシーケンスと同じでありえる。あるいは、他のシーケンスがＣＲＣパリティビットシーケンスと同一ビット長を持っている場合、第１の所定のシーケンスとして他のシーケンスを用いることができる。次に、ＣＲＣスクランブルモジュール１２０は、さらなるスクランブルのために、全体のＣＲＣパリティビットシーケンスを、ＬＴＥ−Ａビットスクランブラーモジュール１２５に出力されるスクランブルされたＣＲＣシーケンスに帰着するビットのＤＣＩブロックと連結する。
【００３６】
ＬＴＥ−Ａビットスクランブラーモジュール１２５は、ＣＲＣスクランブルモジュール１２０から出力されたスクランブルされたＣＲＣシーケンスを、再度ではあるが第２の所定のシーケンスでスクランブルすることによって、さらにスクランブルする。好都合に、全体の制御ビット（ＤＣＩ）シーケンス（ＣＲＣアタッチメントを持つ）が固有のＬＴＥ−Ａシーケンスによってさらにスクランブルされた場合、これはＬＴＥシステムとＬＴＥ−Ａシステムとをさらに識別する。いくつかの可能なシーケンスとしてＲＮＴＩおよびセルＩＤが挙げられる。第２の所定のシーケンスの長さがＣＲＣスクランブルされたビットシーケンスの長さと等しければ、いかなる所定のシーケンスも用いることができる。可能な第２の所定のシーケンスは、ＲＮＴＩまたはセルＩＤビットシーケンスの反復バージョンであってもよい。ＲＮＴＩシーケンスが用いられる場合、ビットのシーケンスは第１段階のスクランブリングを元へ戻さないように処理されるべきである。このための可能な方法としてシーケンスを逆にするかまたはその順序を並べ替えることが挙げられる。次に、ＬＴＥ−Ａビットスクランブラーモジュール１２５は、チャネル符号化モジュール１３０への出力のためにＬＴＥ−Ａスクランブルされたビットシーケンスを出力する。次に、チャネル符号化モジュール１３０は、ＬＴＥ−Ａビットスクランブラーモジュール１２５によって提供された、ＬＴＥ−Ａスクランブルされたビットシーケンスを符号化する。畳み込み、ブロック、リードソロモン、ターボ等のような多くの符号化方式を用いることができる。さらに、ＬＴＥエンコーダ１５０で用いられるチャネル符号化方式を用いることができるであろう。好都合に、ＬＴＥエンコーダはＬＴＥシステムで既に必要とされているので、該ＬＴＥエンコーダ１５０を再使用することは、より簡単なハードウェア開発（チップサイズおよびハードウェアの複雑性を低減する）を可能にする。いったんＬＴＥ−Ａスクランブルされたビットシーケンスが符号化されると、チャネル符号化モジュール１３０はチャネル符号化ビットシーケンスを変調モジュール１３５に出力する。変調モジュール１３５は、チャネル符号化モジュール１３０から出力されたチャネル符号化ビットシーケンスを得て、該シーケンスを複素値に変換し、変調されたビットシーケンスを提供する。ＢＰＳＫ、ＱＰＳＫ、１６ＱＡＭ、または６４ＱＡＭのような変調方式を用いることができる。現在使用されているＱＰＳＫのＬＴＥ変調方式が使用されるのが好ましい。この理由は、ＱＰＳＫは、２つのビットがすべての複素値にマッピングされるので、あるスループットゲインを提供しながら、不利なチャネル条件に対するロバスト性の間のトレードオフを提供するからである。その一方、ＢＰＳＫはよりロボストであるが、一方該ＢＰＳＫは１つの複素値当たり１つのビットのみをマップする。他方、１つの複素値当たり、１６ＱＡＭは４ビットをマップし、６４ＱＡＭは６ビットをマップするが、適切に動作するためには、両者はより良性のチャネル条件を必要とする。最も重要なことは、ＱＰＳＫがＬＴＥシステムで使用され、本発明においての再使用は実施をより容易にすることである。変調されたビットシーケンスは、レイヤマッピングモジュール１４０に出力される。レイヤマッピングモジュール１４０は変調されたビットシーケンスを得て、該シーケンスを送信機に関連した多くのアンテナにマップし、それによってビットシーケンスを持った１つまたは２つ以上のレイヤを提供する。次に、事前符号化モジュール１４５は、資源要素マッピングモジュール１９０への出力のためにレイヤ状のビットシーケンスを事前符号化する。事前符号化モジュールは、指定された方法でシンボルの各レイヤを修正する。事前符号化はＬＴＥ−Ａ仕様書に準拠するべきである。空間周波数ブロック符号化または他の形態の事前符号化のような方法が使用されてもよい。
【００３７】
資源要素マッピングモジュール１９０は事前符号化モジュール１４５の出力から複素値シンボルを受け取り、該シンボルをＬＴＥ−Ａ標準に従って資源要素グリッドにマップする。
【００３８】
ＤＣＩビットモジュール１１０はＤＣＩビットを決定し、ＤＣＩビットシーケンスを提供する。ＣＲＣ計算モジュール１１５はＤＣＩビットシーケンスのＣＲＣ計算を行い、ＣＲＣパリティビットシーケンスを提供する。ＣＲＣスクランブルモジュール１２０はＣＲＣパリティビットシーケンスをスクランブルし、スクランブルされたＣＲＣシーケンスを提供する。ＤＣＩビットモジュールが、ＤＣＩフォーマットはＬＴＥ−Ａであると判定した場合、ＬＴＥ−Ａビットスクランブラーモジュール１２５は、スクランブルされたＣＲＣビットシーケンスをスクランブルし、ＬＴＥ−Ａスクランブルされたビットシーケンスを提供する。チャネル符号化モジュール１３０チャネルは、スクランブルされたＣＲＣビットシーケンスまたはＬＴＥ−Ａスクランブルされたビットシーケンスを符号化し、チャネル符号化ビットシーケンスを提供する。変調モジュール１３５はチャネル符号化シンボルシーケンスを変調し、変調されたシンボルシーケンスを提供する。レイヤマッピングモジュール１４０は、シンボルシーケンスを送信機に関連した１つまたは２つ以上のアンテナに変調し、シンボルシーケンスを持った１つまたは２つ以上のレイヤを提供する。事前符号化モジュール１４５はレイヤ状のシンボルシーケンスを事前符号化する。
【００３９】
ＤＣＩビットシーケンスは長さＤのａiで表されてもよく、ここで添え字ｉは０からＤ−１まで変動する。ＣＲＣパリティビットシーケンスは、Ｌビットの長さを持ち添え字ｌが０からＬ−１まで変動する、ｐlで表されてもよい。ＣＲＣスクランブルモジュール１２０は、ＣＲＣパリティビットシーケンスに第１の所定のシーケンスとのビット単位のモジュロ２加算を行ってもよい。ＣＲＣスクランブルモジュール１２０はＣＲＣパリティビットシーケンスをＤＣＩビットシーケンスと連結し、スクランブルされたＣＲＣビットシーケンスを提供してもよい。モジュロ２加算は、次式で与えられるＣＲＣパリティビットシーケンスのビット単位のＸＯＲ演算であってもよい。
【００４０】
ｂl＝（ｐl＋ｘl）ｍｏｄ２  ｌ＝０，１，．．．，Ｌ−１
ここでｘは第１の所定のシーケンスである。
【００４１】
第１の所定のシーケンスは、１６ビットの無線ネットワーク仮識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）シーケンスであってもよい。第１の所定のシーケンスは、ＣＲＣパリティビットシーケンスと同一ビット長を持った任意のシーケンスであってもよい。スクランブルされたＣＲＣビットシーケンスは、次式で与えられるｃkで表されてもよい。
【００４２】
ｋ＝０，１，２，．．．，Ｄ−１に対して、ｃk＝ａk
ｋ＝Ｄ，Ｄ＋１，．．．，Ｄ＋Ｌに対して、ｃk＝ｂk
ここでｃの長さはＫ＝Ｄ＋Ｌで表される。
【００４３】
ＬＴＥ−Ａビットスクランブラーモジュール１２５は、スクランブルされたＣＲＣビットシーケンスを第２の所定のシーケンスでスクランブルし、ＬＴＥ−Ａスクランブルされたビットシーケンスを提供してもよい。第２の所定のシーケンスは総ビット数Ｋと等しくてもよい。第２の所定のシーケンスは、ＲＮＴＩまたはセルＩＤビットシーケンスの反復バージョンであってもよい。ＲＮＴＩビットのシーケンスは、ＣＲＣパリティビットシーケンスのスクランブリングを元へ戻さないように処理されてもよい。該処理はシーケンスを逆にするかまたはその順序を並べ替えることを含んでもよい。利用可能な場合、事前符号化モジュール１４５はＬＴＥ−Ａ仕様書に準拠してもよい。
ＬＴＥエンコーダ
ＬＴＥエンコーダ１５０は、該ＬＴＥエンコーダがＬＴＥ−Ａビットスクランブラーモジュール１２５を省略している以外は、ＬＴＥ−Ａエンコーダ１０５と同じ方法で動作する。ＬＴＥエンコーダ１５０は、適切な復調のために受信機が必要とする情報を運ぶビット列を組み立てる、ＤＣＩビットモジュール１５５を含んでいる。ＤＣＩは、資源ブロック割り当て、ハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）情報、変調および符号化方式、電力制御情報、アップリンク資源配分、前符号化情報、ランダムアクセス情報、およびページング情報のようなＬＴＥ情報のみを運んでもよい。ＤＣＩビットモジュール１５５は、ＣＲＣ計算モジュール１６０によって受け取られるＤＣＩビットシーケンスを出力する。ＣＲＣ計算モジュール１６０は、巡回冗長検査（ＣＲＣ：Ｃｙｃｌｉｃ  Ｒｅｄｕｎｄａｎｃｙ  Ｃｈｅｃｋ）パリティビットを計算する（該ビットは、すべてのビットが正確に検出されたかどうかを判定するために受信機によって用いられる）。ＣＲＣ計算モジュール１６０は、ＣＲＣスクランブルモジュール１６５にＣＲＣパリティビットシーケンスを出力する。ＣＲＣスクランブルモジュール１６５は、ＣＲＣスクランブルモジュール１６５から出力されたＣＲＣパリティビットシーケンスを得て、第１の所定のシーケンスとのビット単位のモジュロ２加算を行う。第１の所定のシーケンスは、１６ビットのＲＮＴＩシーケンスでありえる。次に、ＣＲＣスクランブルモジュール１６５は、全体のＣＲＣパリティビットシーケンスを、チャネル符号化モジュール１７０に出力されるスクランブルされたＣＲＣビットシーケンスに帰着するビットのＤＣＩブロックと連結する。次に、チャネル符号化モジュール１７０は、ＣＲＣスクランブルモジュール１６５によって提供されたスクランブルされたＣＲＣビットシーケンスを符号化する。いったんスクランブルされたＣＲＣビットシーケンスが符号化されると、チャネル符号化モジュール１７０はチャネル符号化ビットシーケンスを変調モジュール１７５に出力する。変調モジュール１７５は、チャネル符号化モジュール１７０から出力されたチャネル符号化ビットシーケンスを得て、該シーケンスを複素値に変換し、変調されたシンボルシーケンスを提供する。現在使用されているＱＰＳＫのＬＴＥ変調方式が使用されるのが好ましい。変調されたビットシーケンスは、レイヤマッピングモジュール１８０に出力される。レイヤマッピングモジュール１８０は変調されたビットシーケンスを得て、該シーケンスを送信機に関連した多くのアンテナにマップし、それによってビットシーケンスを持った１つまたは２つ以上のレイヤを提供する。次に、事前符号化モジュール１８５は、資源要素マッピングモジュール１９０への出力のためにレイヤ状のビットシーケンスを事前符号化する。事前符号化モジュールは、指定された方法でシンボルの各レイヤを修正する。好ましくは、事前符号化はＬＴＥ仕様書のみに準拠するべきである。空間周波数ブロック符号化または他の形態の事前符号化のような方法が使用されてもよい。
【００４４】
資源要素マッピングモジュール１９０は事前符号化モジュール１８５から複素値を受け取り、該シンボルをＬＴＥ標準に従って資源要素グリッドにマップする。
【００４５】
ここで図２を参照して、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）デコーダ２００が示されている。ＰＤＣＣＨデコーダ２００は、ＬＴＥ−Ａ伝送用のＬＴＥ−Ａデコーダ２２０とＬＴＥ伝送用のＬＴＥデコーダ２５０とを含んでいる。復号化の前に、チャネル推定がチャネル推定モジュール２０５によって提供され、受信シンボルは、ＯＦＤＭ信号復調モジュール２１０によって資源要素デマッピングモジュール２１５を介してＬＴＥ−Ａデコーダ２２０またはＬＴＥデコーダ２５０に提供される。
【００４６】
ＬＴＥ−Ａデコーダ２２０およびＬＴＥデコーダ２５０は両方とも、ビットシーケンスを復号するために多くの同じ要素を含んでいる。しかしながら、ＬＴＥ−Ａデコーダ２２０は、固有のＬＴＥ−ＡシーケンスによってビットシーケンスをデスクランブルするＬＴＥ−Ａビットデスクランブラモジュール２３５を含んでいる。好都合に、この追加のステップは、ＬＴＥシステムがいかなるＬＴＥ−Ａ情報も解読できないということを確保している。
【００４７】
ＰＤＣＣＨデコーダ２００に関連した送信機は、ＰＤＣＣＨデコーダ２００による復号シーケンスより前に、該送信機が対応している送信機（図１のＰＤＣＣＨエンコーダ１００に関連した）が、ＬＴＥ−ＡイネーブルされたかまたはＬＴＥイネーブルされたかを知っている。これは、ＵＥが送信機／基地局の対応を求めたとき（例えばＵＥが電源を入れたとき、またはＵＥが基地局によって対応される地理的領域に移動したとき）通常行われる。１つの実施形態では、送信機がＬＴＥ−Ａイネーブルされた受信機／ＵＥのシーケンスを復号する必要がある場合、該送信機は、以下に説明するように、付加のＬＴＥ−Ａ特有のデスクランブリングによる復号チェーンに従う、スイッチングモジュール（不図示）があってもよい。そうでない場合には、それは単純にＬＴＥ復号シーケンスに従う。
ＬＴＥ−Ａデコーダ
ＬＴＥ−Ａデコーダ２２０は、資源要素デマッピングモジュール２１５から出力された受信ビットシーケンスを得て、該ビットを復調されたシンボルシーケンスに変換する、復調／レイヤデマッピングモジュール２２５を含んでいる。シンボルシーケンスは、ゼロフォーシング、最小平均二乗誤差（ＭＭＳＥ：Ｍｉｎｉｍｕｍ  Ｍｅａｎ  Ｓｑｕａｒｅｄ  Ｅｒｒｏｒ）、および最大尤度検出（ＭＬＤ：Ｍａｘｉｍｕｍ  Ｌｉｋｅｌｉｈｏｏｄ  Ｄｅｔｅｃｔｉｏｎ）のような種々の方法を用いて復調することができるが、エンコーダ１００（図１に示される）で使用される、レイヤマッピングモジュール１４０および事前符号化モジュール１４５で用いられる方式に依存する。復調／レイヤデマッピングモジュール２２５の出力は、次にチャンネル復号モジュール２３０に渡される復調されたビットシーケンスである。
【００４８】
次に、チャンネル復号モジュール２３０は、復調／レイヤデマッピングモジュール２２５によって提供された、復調されたビットシーケンスを復号する。デコーダの実行は、ＬＴＥ−Ａエンコーダ１０５（図１に示される）のチャネル符号化モジュール１３０で使用される符号化方式に依存する。ＬＴＥエンコーダ１５０が使用される場合、同一デコーダをＬＴＥ−Ａ復号に使用することができる。チャンネル復号モジュール２３０は、ＬＴＥ−Ａデスクランブリングモジュール２３５用にチャネル復号されたビットシーケンスを出力する。
【００４９】
ＬＴＥ−Ａデスクランブリングモジュール２３５は、ＬＴＥ−Ａエンコーダ１０５（図１に示される）のＬＴＥ−Ａスクランブリングモジュール１２５（図１）によるデスクランブルによってチャンネル復号モジュール２３０から出力された、チャネル復号されたビットシーケンスをデスクランブルする。好ましくは、送信機（図１）で使用されるシーケンスと同一シーケンスが、受信機（図２）で使用されるべきである。ＬＴＥ−Ａデスクランブリングモジュール２３５は、ＬＴＥ−ＡデスクランブルされたビットシーケンスをＣＲＣデスクランブリングモジュール２４０に出力する。
【００５０】
ＣＲＣデスクランブリングモジュール２４０は、ＬＴＥ−Ａデスクランブリングモジュール２３５から出力された、ＬＴＥ−ＡデスクランブルされたビットシーケンスからＣＲＣビットを得て、第１の所定のシーケンスとのビット単位のモジュロ２加算を行う（デスクランブリングのこの段階は、ＣＲＣビットのみ演算する）。好ましくは、送信機（図１）で使用されるシーケンスと同一シーケンスが、受信機（図２）で使用されるべきである。次に、ＣＲＣデスクランブリングモジュール２４０は、ＤＣＩフォーマットがＤＣＩフォーマット検出モジュール２４５で検出されるように、ＤＣＩビットシーケンスを出力する。
【００５１】
復調／レイヤデマッピングモジュール２２５は受信されたシンボルシーケンスを復調およびデマップし、復調されたビットシーケンスを提供する。チャンネル復号モジュール２３０チャネルはデマップされたビットシーケンスを復号し、チャネル復号されたビットシーケンスを提供する。ＬＴＥ−Ａビットデスクランブラモジュール２３５は、ビットシーケンスがＬＴＥ−Ａシーケンスの場合、チャネル復号されたビットシーケンスをデスクランブルし、ＬＴＥ−Ａデスクランブルされたビットシーケンスを提供する。ＣＲＣデスクランブリングモジュール２４０は、ＬＴＥ−Ａデスクランブルされたビットシーケンスまたはチャネル復号されたビットシーケンスのいずれかをＣＲＣデスクランブルし、ＤＣＩフォーマットが検出されるように、ＤＣＩビットシーケンスを提供する。
【００５２】
ＣＲＣデスクランブリングモジュール２４０は、チャネル復号されたビットシーケンスに第１の所定のシーケンスとのビット単位のモジュロ２加算を行ってもよい。第１の所定のシーケンスは、１６ビットの無線ネットワーク仮識別子（ＲＮＴＩ）シーケンスであってもよい。ＬＴＥ−Ａビットデスクランブラモジュール２３５は、チャネル復号されたビットシーケンスを第２の所定のシーケンスでデスクランブルし、ＬＴＥ−Ａデスクランブルされたビットシーケンスを提供してもよい。第２の所定のシーケンスは、ＲＮＴＩまたはセルＩＤビットシーケンスの反復バージョンであってもよい。ＲＮＴＩビットのシーケンスは、ＣＲＣデスクランブリングを元へ戻さないように処理されてもよい。該処理はシーケンスを逆にするかまたはその順序を並べ替えることを含んでもよい。
ＬＴＥデコーダ
ＬＴＥデコーダ２５０は、資源要素デマッピングモジュール２１５から出力された受信ビットシーケンスを得て、該ビットを復調されたシンボルシーケンスに変換する、復調／レイヤデマッピングモジュール２５５を含んでいる。シンボルシーケンスは、ゼロフォーシング、最小平均二乗誤差（ＭＭＳＥ：Ｍｉｎｉｍｕｍ  Ｍｅａｎ  Ｓｑｕａｒｅｄ  Ｅｒｒｏｒ）、および最大尤度検出（ＭＬＤ：Ｍａｘｉｍｕｍ  Ｌｉｋｅｌｉｈｏｏｄ  Ｄｅｔｅｃｔｉｏｎ）のような種々の方法を用いて復調することができるが、エンコーダ１００（図１に示される）で使用される、レイヤマッピングモジュール１８０および事前符号化モジュール１８５で用いられる方式に依存する。復調／レイヤデマッピングモジュール２５５の出力は、次にチャンネル復号モジュール２６０に渡される復調されたビットシーケンスである。
【００５３】
次に、チャンネル復号モジュール２６０は、復調／レイヤデマッピングモジュール２５５によって提供された、復調されたビットシーケンスを復号する。デコーダの実行は、ＬＴＥエンコーダ１５０（図１に示される）のチャネル符号化モジュール１７０で使用される符号化方式に依存する。チャンネル復号モジュール２６０は、ＣＲＣデスクランブリングモジュール２６５用にチャネル復号されたビットシーケンスを出力する。
【００５４】
ＣＲＣデスクランブリングモジュール２６５は、チャンネル復号モジュール２６０から出力されたチャネル復号されたビットシーケンスのＣＲＣビットを得て、第１の所定のシーケンスとのビット単位のモジュロ２加算を行う。好ましくは、送信機（図１）で使用されるシーケンスと同一シーケンスが、受信機（図２）で使用されるべきである。次に、ＣＲＣデスクランブリングモジュール２６５は、ＤＣＩフォーマットがＤＣＩフォーマット検出モジュール２７０で検出されるように、ＤＣＩビットシーケンスを出力する。
【００５５】
図３は、ダウンリンク制御情報（ＤＣＩ）を持った物理ダウンリンク制御チャネル（ＰＤＣＣＨ）を通じてビットシーケンスを符号化する、図１のＰＤＣＣＨエンコーダ１００のモジュールの各々によって実行される方法３００を示している。送信機（基地局）と受信機（ＵＥ）との間の事前シグナリングは、ＤＣＩフォーマットがＬＴＥかまたはＬＴＥ−Ａかを判定する。
ＬＴＥ−Ａ符号化法
ＤＣＩフォーマットがＬＴＥ−Ａの場合、制御は、ＤＣＩビットが決定され、ＤＣＩビットシーケンスを提供する、ステップ３１０に移る。このステップは、適切な復調のために受信機が必要とする情報を運ぶビット列を組み立てる。ＬＴＥ−Ａ用のＤＣＩフォーマットは、資源ブロック割り当て、ＨＡＲＱ情報、変調および符号化方式、電力制御情報、アップリンク資源配分、事前符号化情報、ランダムアクセス情報、ページング情報、マルチポイント伝送モード、中継情報、今後のＬＴＥ−Ａシステムに含まれる可能性のある他の新たな機能に関する情報を含んでいる。このステップは、長さＤのａiで表されるＤＣＩビットシーケンスを出力し、ここで添え字ｉは０からＤ−１まで変動する。
【００５６】
次に、制御は、ＣＲＣ計算がステップ３１０からのＤＣＩビットシーケンスに行われ、ＣＲＣパリティビットシーケンスを提供する、ステップ３１５に移る。このステップは、受信機（図２および図４）によって使用される巡回冗長検査（ＣＲＣ：Ｃｙｃｌｉｃ  Ｒｅｄｕｎｄａｎｃｙ  Ｃｈｅｃｋ）パリティビットを計算し、ビットがすべて正確に検出されたかどうかを判定する。ＬＴＥシステムで使用される現行のＣＲＣ法を用いることができる。あるいは、他のＣＲＣ多項式を用いることができる。このステップは、Ｌビットの長さを持ち添え字ｌが０からＬ−１まで変動する、ｐlで表されるＣＲＣパリティビットシーケンスを出力する。
【００５７】
制御は、ＣＲＣパリティビットシーケンス（ステップ３１５からの）がスクランブルされ、スクランブルされたＣＲＣシーケンスを提供する、ステップ３２０に移る。このステップは、ステップ３１５で生成されたＣＲＣパリティビットシーケンスを得て、第１の所定のシーケンスとのビット単位のモジュロ２加算を行う（すなわち、該ステップはシーケンスにビット単位のＸＯＲ演算を行う）。これは次式で表すことができる。
【００５８】
ｂl＝（ｐl＋ｘl）ｍｏｄ２  ｌ＝０，１，．．．，Ｌ−１
ここでｘは第１の所定のシーケンスである。
【００５９】
第１の所定のシーケンスは、１６ビットのＲＮＴＩシーケンスが用いられるＬＴＥシステムで用いられるシーケンスと同じであってもよい。あるいは、他のシーケンスがステップ３１５のＣＲＣパリティビットシーケンスと同一ビット長を持っている場合には、他のシーケンスが用いられてもよい。
【００６０】
ステップ３２０で、ＣＲＣパリティビットシーケンスは、結果的にｃkで表されてもよいスクランブルされたＣＲＣビットシーケンスとなる、ステップ３１０からのＤＣＩビットシーケンスとも連結され、該ｃkは次式で与えられる。
【００６１】
ｋ＝０，１，２，．．．，Ｄ−１に対して、ｃk＝ａk
ｋ＝Ｄ，Ｄ＋１，．．．，Ｄ＋Ｌに対して、ｃk＝ｂk
ここでｃの長さはＫ＝Ｄ＋Ｌで表される。
【００６２】
ステップ３２５で、ステップ３２０で生成されたＣＲＣビットシーケンスはさらにスクランブルされ、ＬＴＥ−Ａスクランブルされたビットシーケンスを提供する。特に、ＣＲＣビットシーケンスｃは、第２の所定のシーケンスｙで再度スクランブルされる。第２の所定のシーケンスの長さｙがＫ（ビットの総数）と等しい場合には、いかなる所定のシーケンスも用いることができる。１つの可能なシーケンスは、ＲＮＴＩまたはセルＩＤビットシーケンスの反復バージョンであってもよい。例えばＤ＝３２、Ｌ＝１６で、ＲＮＴＩシーケンスが１６ビットの場合、ｙ＝［ｘ，ｘ，ｘ］であり、ここで、表記［ａ，ｂ，ｃ］は、アレイａ、ｂ、およびｃの連結を表している。ＲＮＴＩシーケンスが用いられる場合、ビットのシーケンスは第１段階のスクランブリングを元へ戻さないように処理されるべきである。このための可能な方法としてシーケンスを逆にするかまたはその順序を並べ替えることが挙げられる。
【００６３】
いったんＬＴＥ−Ａスクランブルされたビットシーケンスが計算されると、制御は、ＬＴＥ−Ａスクランブルされたビットシーケンスのチャネル符号化が発生し、チャネル符号化ビットシーケンスを提供する、ステップ３３０に移る。たとえこれがＬＴＥ−Ａシステムであっても、ＬＴＥチャネル符号化を使用することができる。好都合に、ＬＴＥチャネル符号化要素の再使用は、ハードウェアの複雑性をより低減する結果となる。あるいは、ターボ、畳込符号（異なる多項式を持つ）、リードソロモン、ブロック符号等を含む（しかしこれらに限定されるものではない）他の符号化方式も使用することができる。
【００６４】
ステップ３３５で、チャネル符号化ビットシーケンスは、ステップ３４０の出力として変調されたシンボルシーケンスを提供するために、チャネル符号化ビットシーケンスを複素値に変換することによって変調される。ＢＰＳＫ、ＱＰＳＫ、１６ＱＡＭ、または６４ＱＡＭのような変調方式を用いることができる。ＱＰＳＫのＬＴＥ変調方式が使用されるのが好ましい。
【００６５】
ステップ３４０で、変調されたビットシーケンスは、ビットシーケンスを持った１つまたは２つ以上のレイヤを提供する送信機に関連した、１つまたは２つ以上のアンテナにマップされたレイヤである。
【００６６】
最後に、ステップ３４５で、レイヤ状のビットシーケンスは、ビットシーケンスの各レイヤが指定された方法で修正されるように事前符号化される。好ましくは、事前符号化は、可能であればＬＴＥ−Ａ仕様書に準拠するべきである。空間周波数ブロック符号化または任意の形態の事前符号化のような方法を用いることができる。次に、ＬＴＥ−Ａシステム用のビットシーケンスは符号化されＰＤＣＣＨデコーダ（図２）および方法（図４）によってユーザ装置で復号する準備ができる。
ＬＴＥ符号化法
あるいは、ステップ３０５で、ＤＣＩフォーマットがＬＴＥの場合、制御は、同じステップがＬＴＥ−Ａスクランブリングのステップが実行されないことを除いてＬＴＥ−Ａの場合ように行われる、ステップ３５０に移る。特に、ステップ３５０、３５５、３６０、３６５、３７０、３７５、および３８０は、ステップ３１０、３１５、３２０、３２５、３３５、３４０、および３４５に対応する。ステップ３５０で、ＤＣＩビットが決定され、ＤＣＩビットシーケンスを提供する。このステップは、適切な復調のために受信機が必要とする情報を運ぶビット列を組み立てる。ＬＴＥ用のＤＣＩフォーマットは、資源ブロック割り当て、ＨＡＲＱ情報、変調および符号化方式、電力制御情報、アップリンク資源配分、事前符号化情報、ランダムアクセス情報、およびページング情報のみに関する情報を含んでいる。このステップは、長さＤのａiで表されるＤＣＩビットシーケンスを出力し、ここで添え字ｉは０からＤ−１まで変動する。
【００６７】
次に、制御は、ＣＲＣ計算がステップ３５０からのＤＣＩビットシーケンスに行われ、ＣＲＣパリティビットシーケンスを提供する、ステップ３５５に移る。制御は、ＣＲＣパリティビットシーケンス（ステップ３５５からの）がスクランブルされ、スクランブルされたＣＲＣシーケンスを提供する、ステップ３６０に移る。
【００６８】
いったんスクランブルされたＣＲＣシーケンスが計算されると、制御は、スクランブルされたＣＲＣシーケンスのチャネル符号化が発生し、チャネル符号化ビットシーケンスを提供する、ステップ３６５に移る。
【００６９】
ステップ３７０で、チャネル符号化ビットシーケンスは、ステップ３７５の出力として変調されたシンボルシーケンスを提供するために、チャネル符号化ビットシーケンスを複素値に変換することによって変調される。
【００７０】
ステップ３７５で、変調されたシンボルシーケンスは、ビットシーケンスを持った１つまたは２つ以上のレイヤを提供する送信機に関連した、１つまたは２つ以上のアンテナにマップされたレイヤである。
【００７１】
最後に、ステップ３８０で、レイヤ状のビットシーケンスは、ビットシーケンスの各レイヤが指定された方法で修正されるように事前符号化される。好ましくは、事前符号化はＬＴＥ仕様書に準拠するべきである。次に、ＬＴＥシステム用のビットシーケンスは符号化され、ＰＤＣＣＨデコーダ（図２）および方法（図４）によってユーザ装置で復号する準備ができる。
【００７２】
図４は、ダウンリンク制御情報（ＤＣＩ）を持った物理ダウンリンク制御チャネル（ＰＤＣＣＨ）を通じてビットシーケンスを復号する、図２のＰＤＣＣＨデコーダ２００のモジュールの各々によって実行される方法４００を示しいている。ステップ４０５で、ビットシーケンスがＬＴＥかまたはＬＴＥ−Ａかが判定される。送信機（基地局）と受信機（ＵＥ）との間の事前シグナリングは、ビットシーケンスがＬＴＥかまたはＬＴＥ−Ａかを判定する。
ＬＴＥ−Ａ復号法
ビットシーケンスがＬＴＥ−Ａの場合、制御は、受信されたシンボルシーケンスが復調およびデマップされ、復調されたビットシーケンスを提供する、ステップ４１０に移る。受信されたシンボルシーケンスは、ゼロフォーシング、ＭＭＳＥ、および最大尤度検出のような種々の方法を用いて復調されてもよいが、レイヤマッピングおよび使用される事前符号化方式に依存する（例えば図３）。ステップ４１０は、ステップ４２０で使用される復調されたビットシーケンスを出力する。ステップ４２０は復調されたビットシーケンスにチャンネル復号を行い、チャネル復号されたビットシーケンスを提供する。チャンネル復号の形態は、送信機で使用される符号化方式に依存する（例えば図３）。好都合に、ＬＴＥエンコーダが使用された場合、同一デコーダをＬＴＥ−Ａに使用することができる。
【００７３】
次に、制御は、ステップ４２０からのチャネル復号されたビットシーケンスがデスクランブルされ、ＬＴＥ−Ａデスクランブルされたビットシーケンスを提供する、ステップ４２５に移る。符号化法のスクランブリング関数で使用されたのと同じモジュロ２加算（図３）が、同じシーケンスと共に使用される。最後に、ステップ４３０で、ＬＴＥ−ＡデスクランブルされたビットシーケンスのＣＲＣビットは、ＣＲＣデスクランブリングによってさらにデスクランブルされ、ＤＣＩフォーマットが検出されるように、ＤＣＩビットシーケンスを提供する。ＣＲＣデスクランブリングも、エンコーダ（図３）で使用されたシーケンスと同じシーケンスを使用して行われる。
ＬＴＥ復号法
あるいは、ステップ４０５で、ビットシーケンスがＬＴＥの場合、制御は、同じステップが、ＬＴＥ−Ａデスクランブリングのステップが実行されないことを除いてＬＴＥ−Ａの場合のように行われるステップ４３５に移る。特に、ステップ４１０、４１５、４２０、および４３０は、ステップ４３５、４４０、４４５、および４５０に対応する。
【００７４】
ステップ４３５で、受信されたシンボルシーケンスは復調およびデマップされ、復調されたビットシーケンスを提供する。ビットシーケンスは種々の方法を用いて復調されてもよいが、レイヤマッピングおよびエンコーダで使用される事前符号化方式（例えば図３）に依存する。ステップ４３５は、ステップ４４５で用いられる、復調されたシンボルシーケンスを出力する。ステップ４４５は復調されたビットシーケンスにチャンネル復号を行い、チャネル復号されたビットシーケンスを提供する。チャンネル復号の形態は、送信機で使用される符号化方式に依存する（例えば図３）。次に、制御は、ステップ４４５からのチャネル復号されたビットシーケンスのＣＲＣビットが、ＣＲＣデスクランブリングによってデスクランブルされ、ＤＣＩフォーマットが検出されるように、ＤＣＩビットシーケンスを提供する、ステップ４５０に移る。ＣＲＣデスクランブリングも、エンコーダ（図３）で使用されたシーケンスと同じシーケンスを使用して行われる。
【００７５】
本出願は２００９年１月９日に出願されたオーストラリアの仮特許出願番号第２００９９０００６３号に基づいており、該特許からその優先権の利益を主張し、その開示内容は全体として参照によりここに組み込まれている。
【図１】
0005423798.tif 000002
【図２】
0005423798.tif 000003
【図３】
0005423798.tif 000004
【図４】
0005423798.tif 000005